(57)【特許請求の範囲】
【請求項１】
ケース内部の上板部近傍に固定接点を有する複数極の固定接触子と、該固定接触子の固定接点に接離自在な可動接点を有する複数極の可動接触子とを、基端が前記ケースの底板部側、先端が前記ケースの上板部側として縦向きに配設し、各極毎に前記可動接触子の可動接点の周囲を絶縁保護カバーで被覆するとともに、該絶縁保護カバーの先端に表示部を一体に設け、該表示部が前記ケースの上板部に穿設した表示窓から前記各極の可動接触子の位置を表示可能にしたことを特徴とする回路遮断器。
【発明の詳細な説明】
【０００１】
【発明の属する技術分野】
本発明は、操作ハンドルのオン・オフ表示とは別に固定接点と可動接点の開閉状態を表示する構造を設けた回路遮断器に関する。
【０００２】
【従来の技術】
従来、回路遮断器において操作ハンドルのオン・オフ表示とは別に固定接点と可動接点の開閉状態を表示する構造は、特開平１０−２３３１５３号公報に開示されるものがある。この中で図１〜図５に示す回路遮断器は、ケース（４）内部の底板部近傍に固定接点（１）を有する固定接触子と、この固定接触子の固定接点（１）に接離可能な可動接点（２）を有する可動接触子とを横向きに配設し、可動接触子の上下動に連動するクロスバー（３）の上面に棒状の表示体（１３）を立設し、可動接触子に連動して表示体（１３）がケース（４）の上板部（１４）に穿設した表示窓（１５）から突出自在になっていた。
【０００３】
また、図６〜図１０の回路遮断器は、可動接触子の先端に表示体（１２）を立設し、固定接触子の固定接点（１）と可動接触子の可動接点（２）が接触している場合はケース（４）の上板部（１４）に穿設した表示窓（１５）から表示体（１２）を目視でき、固定接触子の固定接点（１）と可動接触子の可動接点（２）が開離している場合はケース（４）の表示窓（１５）から表示体（１２）を目視できないようにしていた。
【０００４】
【発明が解決しようとする課題】
しかしながら、前述の回路遮断器では複数極の可動接触子を同時に駆動するクロスバー（３）に表示体（１３）を立設しているため、接点が溶着した場合にどの極が異常なのか調べないとわからなかった。また、前述と後述の両方の回路遮断器は表示体（１３），（１２）がケース（４）の下部から上部に亘っているため、ケース（４）内のスペースをとってしまい、小型の回路遮断器に組み込むことができなかった。
【０００５】
そこで上記問題点に鑑み、本発明の目的は、接点が溶着した極をすぐに確認することができ、また小型化することができる回路遮断器を提供することである。
【０００６】
【課題を解決するための手段】
上記目的を達成するために、ケース内部の上板部近傍に固定接点を有する複数極の固定接触子と、固定接触子の固定接点に接離自在な可動接点を有する複数極の可動接触子とを、基端がケースの底板部側、先端がケースの上板部側として縦向きに配設し、各極毎に可動接触子の可動接点の周囲を絶縁保護カバーで被覆するとともに、絶縁保護カバーの先端に表示部を一体に設け、表示部がケースの上板部に穿設した表示窓から各極の可動接触子の位置を表示可能にしたことを特徴とする。
【０００７】
【発明の実施の形態】
回路遮断器のケース内部の上板部近傍に固定接点を有する複数極の固定接触子と、固定接触子の固定接点に接離自在な可動接点を有する複数極の可動接触子とを、基端がケースの底板部側、先端がケースの上板部側として縦向きに配設し、各極毎に可動接触子の可動接点の周囲を絶縁保護カバーで被覆するとともに、絶縁保護カバーの先端に表示部を一体に設け、表示部がケースの上板部に穿設した表示窓から各極の可動接触子の位置を表示可能にする。
【０００８】
【実施例】
本発明に係る回路遮断器の実施例を図１及び図２の添付図面に基づいて説明する。
【０００９】
回路遮断器１のケース２内部の上板部２ａ近傍に、固定接点３ａを有する固定接触子３と、固定接触子３の固定接点３ａに接離自在な可動接点４ａを有する可動接触子４とが、基端がケース２の底板部２ｂ側、先端がケース２の上板部２ａ側として縦向きに配設されている。
【００１０】
固定接触子３の基端はケース２の一方端に配設された接続端子５に電気的に接続され、可動接触子４の基端はケース２の他方端に配設された接続端子５に電気的に接続されて主回路を形成している。
【００１１】
可動接触子４はバネ６によって固定接触子３から開離する方向に付勢され、ケース２の上板部２ａから突出した操作ハンドル７を操作してオンにすると開閉機構部８を介し、可動接触子４をバネ６の力に抗して固定接触子３に押圧し、可動接点４ａを固定接点３ａに圧接させて主回路が通電する。
【００１２】
また、主回路に過電流、短絡、漏電等の異常が発生した場合は引き外し機構９が駆動して開閉機構部８による可動接触子４への押圧を解除し、バネ６により固定接触子３から可動接触子４を開離させて主回路が遮断するようになっている。
【００１３】
各極の可動接触子４は可動接点４ａの周囲が合成樹脂製の絶縁保護カバー１０で被覆されている。これによって遮断動作時に発生するアークによる可動接触子４の損傷を防止することができるし、バネ６にアークが流れるのを防止できるのでバネ６の力が低下することがなく、遮断性能を向上させることができる。
【００１４】
また、絶縁保護カバー１０の先端はケース２の上板部２ａ近傍まで延設され、先端に表示部１０ａが一体に形成されている。
【００１５】
ケース２の上板部２ａには、絶縁保護カバー１０の表示部１０ａに臨む表示窓２ｃが穿設されている。そして、固定接触子３の固定接点３ａと可動接触子４の可動接点４ａが接触している場合は表示窓２ｃから表示部１０ａがオンを表示し、固定接触子３の固定接点３ａから可動接触子４の可動接点４ａが開離している場合はオフを表示するようになっている。このため、固定接点３ａと可動接点４ａが溶着した場合、操作ハンドル７がオフしていても表示窓２ｃの表示はオンとなるため、接点の異常を確認することができる。尚、絶縁保護カバー１０の表示部１０ａは各極の可動接触子毎に設けられているため、接点の溶着した極がすぐに分かるようになっている。
【００１６】
【発明の効果】
以上説明したように、ケース内部の上板部近傍に固定接点を有する複数極の固定接触子と、固定接触子の固定接点に接離自在な可動接点を有する複数極の可動接触子とを、基端が底面側、先端が上面側として縦向きに配設し、各極毎に可動接触子の可動接点の周囲を絶縁保護カバーで被覆するとともに、絶縁保護カバーの先端に表示部を一体に設け、表示部がケースの上板部に穿設した表示窓から各極の可動接触子の位置を表示可能にしたことにより、各極の可動接触子毎に絶縁保護カバーを設けるので接点が溶着した極をすぐに確認することができる。また、固定接触子と可動接触子がケースの上部に配設されて絶縁保護カバーはスペースをとらないので回路遮断器を小型化することができる。また、絶縁保護カバーによって可動接触子の可動接点の周囲を被覆するのでアークによる損傷を防止することができ、バネも損傷しないので遮断性能を向上させることができるという優れた効果がある。
【図面の簡単な説明】
【図１】本発明に係る回路遮断器の接点が閉じた状態を示し、（ａ）は平面図、（ｂ）は（ａ）のＡ−Ａ線矢視断面図である。
【図２】本発明に係る回路遮断器の接点が開いた状態を示し、（ａ）は平面図、（ｂ）は（ａ）のＣ−Ｃ線矢視断面図である。
【符号の説明】
１…回路遮断器
２…ケース
２ｃ…表示窓
３…固定接触子
３ａ…固定接点
４…可動接触子
４ａ…可動接点
６…バネ
１０…絶縁保護カバー
１０ａ…表示部
【図１】
0004158965.tif 000002
【図２】
0004158965.tif 000003